(57)【要約】【課題】鏡筒を本体に対して容易に取り付けることができるとともに、本体、及び鏡筒の破損を防止することができる光学式測定機の提供。【解決手段】画像測定機１は、鏡筒２と、鏡筒２が取り付けられる円筒状の取付部３２を備える本体３と、鏡筒２の周方向に沿ってリング状に配設され、被測定物を照明するリング照明装置４と、取付部３２に取り付けられ、鏡筒２の本体３への取り付けを中継する中継部材５を備える。中継部材５は、鏡筒２が取り付けられる中継取付部５２２と、鏡筒２の外周を覆うように鏡筒２の軸方向に沿って延出し、鏡筒２を軸方向に沿ってガイドするガイド部５２３とを備える。【選択図】図２
2010243391.tif 000002
【特許請求の範囲】
【請求項１】
被測定物を観察するための対物レンズを収納する鏡筒と、前記鏡筒が取り付けられる取付部を有する本体と、前記鏡筒の周方向に沿ってリング状に配設され、前記被測定物を照明するリング照明装置とを備える光学式測定機であって、
前記取付部に取り付けられ、前記鏡筒の前記本体への取り付けを中継する中継部材を備え、
前記中継部材は、
前記鏡筒が取り付けられる中継取付部と、
前記対物レンズの光軸方向に沿って延出し、前記鏡筒を前記光軸方向に沿ってガイドするガイド部を備えることを特徴とする光学式測定機。
【請求項２】
請求項１に記載の光学式測定機であって、
前記中継部材は、
前記本体側に配置されるとともに、前記取付部に取り付けられる本体側部材と、
前記鏡筒側に配置されるとともに、前記中継取付部、及び前記ガイド部を有する鏡筒側部材と、
前記本体側部材、及び前記鏡筒側部材を連結する連結機構とを備えることを特徴とする光学式測定機。
【請求項３】
請求項２に記載の光学式測定機であって、
前記鏡筒側部材は、前記鏡筒と比較して軟らかい材質とされていることを特徴とする光学式測定機。
【発明の詳細な説明】
【技術分野】
【０００１】
本発明は、光学式測定機に関し、特に、リング照明装置を備える光学式測定機に関する。
【背景技術】
【０００２】
従来、被測定物を観察するための対物レンズを収納する鏡筒と、鏡筒が取り付けられる取付部を有する本体と、鏡筒の周方向に沿ってリング状に配設され、被測定物を照明するリング照明装置とを備える光学式測定機が知られている（例えば、特許文献１参照）。
特許文献１に記載の画像測定装置（光学式測定機）は、対物レンズ（鏡筒）と、対物レンズに取り付けられるリング照明装置とを備えている。このような光学式測定機では、例えば、鏡筒の本体側の一端に周方向に沿って雄ネジ部を形成し、鏡筒の雄ネジ部が螺合される雌ネジ部を本体の取付部に形成することによって、本体の取付部に鏡筒を取り付ける構造が採用されている。
【先行技術文献】
【特許文献】
【０００３】
【特許文献１】特開２００３−３３７３６５号公報
【発明の概要】
【発明が解決しようとする課題】
【０００４】
しかしながら、リング照明装置は、鏡筒の周方向に沿ってリング状に配設されているので、本体の取付部に鏡筒を取り付ける際には、作業者は、リング照明装置を介して鏡筒を取り付けなければならず、容易に取り付けることができないという問題がある。
また、作業者は、リング照明装置に遮蔽されることによって、本体の取付部を目視しにくくなるので、対物レンズの光軸が傾斜した状態で鏡筒を本体に取り付けてしまい、本体、及び鏡筒が破損してしまう場合があるという問題がある。
【０００５】
本発明の目的は、鏡筒を本体に対して容易に取り付けることができるとともに、本体、及び鏡筒の破損を防止することができる光学式測定機を提供することにある。
【課題を解決するための手段】
【０００６】
本発明の光学式測定機は、被測定物を観察するための対物レンズを収納する鏡筒と、前記鏡筒が取り付けられる取付部を有する本体と、前記鏡筒の周方向に沿ってリング状に配設され、前記被測定物を照明するリング照明装置とを備える光学式測定機であって、前記取付部に取り付けられ、前記鏡筒の前記本体への取り付けを中継する中継部材を備え、前記中継部材は、前記鏡筒が取り付けられる中継取付部と、前記対物レンズの光軸方向に沿って延出し、前記鏡筒を前記光軸方向に沿ってガイドするガイド部を備えることを特徴とする。
【０００７】
このような構成によれば、光学式測定機は、本体の取付部に取り付けられる中継部材を備え、中継部材は、鏡筒が取り付けられる中継取付部と、鏡筒を対物レンズの光軸方向に沿ってガイドするガイド部とを備えるので、本体に鏡筒を取り付ける際には、作業者は、ガイド部に沿って中継部材の中継取付部に鏡筒を取り付けることができる。
すなわち、中継部材のガイド部によって鏡筒の姿勢を規制して鏡筒を本体に取り付けることができるので、作業者は、リング照明装置を介して鏡筒を取り付ける場合であっても鏡筒を本体に対して容易に取り付けることができるとともに、本体、及び鏡筒の破損を防止することができる。
【０００８】
本発明では、前記中継部材は、前記本体側に配置されるとともに、前記取付部に取り付けられる本体側部材と、前記鏡筒側に配置されるとともに、前記中継取付部、及び前記ガイド部を有する鏡筒側部材と、前記本体側部材、及び前記鏡筒側部材を連結する連結機構とを備えることが好ましい。
【０００９】
このような構成によれば、中継部材は、本体側部材と、鏡筒側部材と、連結機構とを備え、鏡筒は、鏡筒側部材の中継取付部に取り付けられる。したがって、本体の破損を防止することができるとともに、鏡筒側部材の中継取付部に鏡筒を取り付けることによって、鏡筒側部材が破損した場合であっても、鏡筒側部材のみを交換することで中継部材を修理することができる。
【００１０】
本発明では、前記鏡筒側部材は、前記鏡筒と比較して軟らかい材質とされていることが好ましい。
このような構成によれば、鏡筒の破損を防止することができる。
【図面の簡単な説明】
【００１１】
【図１】本発明の一実施形態に係る画像測定機の一部を示す図。
【図２】前記実施形態にかかる画像測定機の一部を示す断面図。
【発明を実施するための形態】
【００１２】
以下、本発明の一実施形態を図面に基づいて説明する。
図１は、本発明の一実施形態に係る画像測定機１の一部を示す図である。
光学式測定機としての画像測定機１は、図１に示すように、被測定物（図示略）を観察するための対物レンズ２１を収納する円筒状の鏡筒２と、鏡筒２が取り付けられる本体３と、鏡筒２の周方向に沿ってリング状に配設され、被測定物を照明するリング照明装置４とを備える。
また、本体３は、鏡筒２の軸方向（図１中上下方向）、すなわち対物レンズ２１の光軸方向に沿ってリング照明装置４を移動可能に支持する支持部３１を備える。
【００１３】
図２は、画像測定機１の一部を示す断面図である。なお、図２では、鏡筒２の軸方向を通る平面で画像測定機１を切断している。
鏡筒２は、図２に示すように、本体３側の一端に周方向に沿って形成される雄ネジ部２２を有している。
本体３は、鏡筒２が取り付けられる円筒状の取付部３２を備える。この取付部３２は、鏡筒２の雄ネジ部２２が螺合される形状の雌ネジ部３２１と、鏡筒２の軸方向と略直交する平面に形成される平面部３２２とを有している。
リング照明装置４は、被測定物を照明するための光を射出する複数の発光素子を有する照明ユニット４１と、照明ユニット４１から射出される光を反射することで被測定物に導光するミラーユニット４２とを備える。
【００１４】
また、画像測定機１は、取付部３２に取り付けられ、鏡筒２の本体３への取り付けを中継する中継部材５を備える。
中継部材５は、本体３側に配置されるとともに、取付部３２に取り付けられる本体側部材５１と、鏡筒２側に配置される鏡筒側部材５２とを備える。
【００１５】
本体側部材５１は、円筒状に形成された部材である。この本体側部材５１は、鏡筒２の雄ネジ部２２と同一の形状とされ、取付部３２の雌ネジ部３２１に螺合される雄ネジ部５１１と、雄ネジ部５１１と比較して大きい径に形成される拡径部５１２とを備える。この拡径部５１２には、鏡筒２の軸方向と略直交する方向に沿って複数のネジ孔５１２Ａが形成されている。
そして、本体側部材５１は、取付部３２の雌ネジ部３２１に雄ネジ部５１１が螺合されることによって本体３に取り付けられる。この際、取付部３２の平面部３２２、及び拡径部５１２の本体３側の面は、接着剤を介して接着される。
【００１６】
鏡筒側部材５２は、鏡筒２と比較して軟らかい材質で円筒状に形成された部材である。この鏡筒側部材５２は、本体側部材５１における拡径部５１２の内側に挿入される挿入部５２１と、鏡筒２が取り付けられる中継取付部５２２と、鏡筒２の外周を覆うように鏡筒２の軸方向に沿って延出し、鏡筒２を軸方向に沿ってガイドするガイド部５２３とを備える。
挿入部５２１には、拡径部５１２のネジ孔５１２Ａと対向する位置にテーパ５２１Ａが形成されている。そして、ネジ孔５１２Ａにネジ５３が螺合され、ネジ５３の先端をテーパ５２１Ａに係合させることで本体側部材５１、及び鏡筒側部材５２を連結させる。
【００１７】
すなわち、本実施形態では、連結機構は、拡径部５１２と、挿入部５２１と、ネジ５３とで構成されている。
なお、本体側部材５１の取付部３２への取り付けや、本体側部材５１、及び鏡筒側部材５２の連結は、リング照明装置４を鏡筒２側に移動させた状態で行う。
中継取付部５２２は、挿入部５２１と比較して大きい径に形成され、鏡筒２の雄ネジ部２２が螺合される雌ネジ部５２２Ａを有している。
【００１８】
本実施形態に係る画像測定機１によれば、次のような効果がある。
（１）画像測定機１は、中継部材５を備え、中継部材５は、中継取付部５２２と、ガイド部５２３とを備えるので、本体３に鏡筒２を取り付ける際には、作業者は、ガイド部５２３に沿って中継部材５の中継取付部５２２に鏡筒２を取り付けることができる。すなわち、中継部材５のガイド部５２３によって鏡筒２の姿勢を規制して鏡筒２を本体３に取り付けることができるので、作業者は、リング照明装置４を介して鏡筒２を取り付ける場合であっても鏡筒２を本体３に対して容易に取り付けることができるとともに、本体３、及び鏡筒２の破損を防止することができる。
【００１９】
（２）中継部材５は、本体側部材５１と、鏡筒側部材５２と、連結機構とを備え、鏡筒２は、鏡筒側部材５２の中継取付部５２２に取り付けられる。したがって、本体３の破損を防止することができるとともに、鏡筒側部材５２の中継取付部５２２に鏡筒２を取り付けることによって、鏡筒側部材５２が破損した場合であっても、鏡筒側部材５２のみを交換することで中継部材５を修理することができる。
（３）鏡筒側部材５２は、鏡筒２と比較して軟らかい材質とされているので、鏡筒２の破損を防止することができる。
【００２０】
〔実施形態の変形〕
なお、本発明は前記実施形態に限定されるものではなく、本発明の目的を達成できる範囲での変形、改良等は本発明に含まれるものである。
例えば、前記実施形態では、中継部材５は、本体側部材５１と、鏡筒側部材５２とで構成されていたが、一部材として構成してもよい。要するに、中継部材は、本体の取付部に取り付けられ、鏡筒の本体への取り付けを中継する部材であればよい。
前記実施形態では、鏡筒側部材５２は、鏡筒２と比較して軟らかい材質とされていたが、どのような材質であってもよい。
【００２１】
前記実施形態では、ガイド部５２３は、鏡筒２の外周を覆うように鏡筒２の軸方向に沿って延出し、鏡筒２を軸方向に沿ってガイドしていた。これに対して、例えば、対物レンズの光軸方向に沿って鏡筒に溝を形成し、形成した溝にガイド部を挿入することで鏡筒を対物レンズの光軸方向に沿ってガイドするように構成してもよい。要するに、ガイド部は、対物レンズの光軸方向に沿って延出し、鏡筒を対物レンズの光軸方向に沿ってガイドする部分であればよい。
前記実施形態では、鏡筒２、本体３、及び中継部材５をネジ式で固定していたが、バヨネット式等によって固定してもよい。
【産業上の利用可能性】
【００２２】
本発明は、光学式測定機に利用でき、特に、リング照明装置を備える光学式測定機に好適に利用することができる。
【符号の説明】
【００２３】
１…画像測定機（光学式測定機）
２…鏡筒
３…本体
４…リング照明装置
５…中継部材
２１…対物レンズ
３２…取付部
５１…本体側部材
５２…鏡筒側部材
５２２…中継取付部
５２３…ガイド部
【図１】
2010243391.tif 000003
【図２】
2010243391.tif 000004